(57)【特許請求の範囲】
【請求項１】
外部機器で再生可能なコンテンツデータのリスト情報を取得するリスト情報取得部と、
前記リスト情報に基づき、既定の画像を用いてリスト画面を表示部に表示する表示制御部と、
前記リスト情報に基づいて、対応する画像データの記憶場所情報を取得する記憶場所情報取得部と、
前記記憶場所情報に基づいて、画像データを取得する画像データ取得部と、
前記リスト情報は複数のセル情報からなり、前記セル情報の種類を判別する種類判別部と、
を備え、
前記種類判別部は、前記セル情報が階層型データであるか否かを判別し、
前記表示制御部は、前記セル情報が階層型データであると前記種類判別部が判別した場合、前記表示部に表示する画像を、階層型データであることを報知する階層型画像データに変更し、
前記階層型画像データは、リスト情報に対応するセル情報に含まれる画像データを加工し、重ねられたアイコン画像であることを特徴とする、
情報処理装置。
【請求項２】
前記記憶場所情報は、
前記画像データが取得できるリンク情報であり、
前記リンク情報のリンク先は、
前記画像データを記憶したサーバ装置であり、
前記画像データ取得部は、
前記リンク情報に基づき前記サーバ装置から前記画像データを取得することを特徴とする
請求項１に記載の情報処理装置。
【請求項３】
前記表示制御部は、単一のコンテンツデータを含む画像データと、複数のコンテンツデータを含む階層型画像データとを同時に表示し、
前記階層型画像データの選択の指示を受け付けた場合は、階層型データに含まれる複数の画像データを受信し、表示することを特徴とする請求項１または２に記載の情報処理装置。
【請求項４】
前記コンテンツデータはオーディオデータを含み、前記階層型画像データは複数のコンテンツデータを含むアルバム情報であることを報知する請求項３に記載の情報処理装置。
【請求項５】
情報処理装置に画像データを表示する方法であって、
外部機器で再生可能なコンテンツデータのリスト情報を取得するリスト情報取得処理と、
前記リスト情報に基づき、既定の画像を用いてリスト画面を表示部に表示する表示制御処理と、
前記リスト情報に基づいて、対応する画像データの記憶場所情報を取得する記憶場所情報取得処理と、
前記記憶場所情報の有無、または前記記憶場所情報に基づいて、前記画像データを取得したか否かを判別する画像データ取得判別処理と、
を備え、
前記画像データ取得判別処理は、前記リスト情報に含まれるセル情報が階層型データであるか否かを判別し、
前記表示制御処理は、前記セル情報が階層型データであると前記画像データ取得判別処理で判別した場合、前記表示部に表示する画像を、階層型データであることを報知する階層型画像データに変更し、
前記階層型画像データは、取得された画像データを加工し、重ねられたアイコン画像であることを特徴とする、
画像データを表示する方法。
【請求項６】
前記記憶場所情報は、
前記画像データが取得できるリンク情報であり、
前記リンク情報のリンク先は、
前記画像データを記憶したサーバ装置であり、
前記リンク情報に基づき前記サーバ装置から前記画像データを取得する画像データ取得処理を備えることを特徴とする
請求項５に記載の画像データを表示する方法。
【請求項７】
前記表示制御処理は、単一のコンテンツデータを含む画像データと、複数のコンテンツデータを含む階層型画像データとを同時に表示し、
前記階層型画像データの選択の指示を受け付けた場合は、階層型データに含まれる複数の画像データを受信し、表示することを特徴とする請求項５または６に記載の画像データを表示する方法。
【請求項８】
前記コンテンツデータはオーディオデータを含み、前記階層型画像データは複数のコンテンツデータを含むアルバム情報であることを報知する請求項７に記載の画像データを表示する方法。
【発明の詳細な説明】
【技術分野】
【０００１】
本発明は、外部機器に記憶されるコンテンツデータに関するリスト情報を表示する情報処理装置に関する。
【背景技術】
【０００２】
特許文献１には、無線ＬＡＮ（Local Area Network）を用いたネットワークオーディオシステムが開示されている。特許文献１に記載のオーディオシステムは、音データを記憶した記憶装置及びプレーヤ等が無線ＬＡＮ（又は有線ＬＡＮ）を介して接続され、音データの送受信を行う構成になっている。
【０００３】
無線ＬＡＮに接続された各機器は、ユーザが所有する携帯電話機等の情報処理装置で操作できる。例えば、情報処理装置の表示部に、記憶装置に記憶された音データをアイコン表示し、ユーザが、そのアイコンを選択することで、選択されたアイコンに対応する音データをプレーヤ等から出力させることができる。
【先行技術文献】
【特許文献】
【０００４】
【特許文献１】特開２００７−１５８８５４号公報
【発明の概要】
【発明が解決しようとする課題】
【０００５】
しかしながら、記憶装置、又はプレーヤ等で再生可能な曲のリスト情報を情報処理装置が要求する各装置はすべてがファームウェアのアップデートがなされているとは限らない。この場合、情報処理装置からの要求に最新のフォーマットのリスト情報を返信可能な記憶装置と、不可能な記憶装置とが市場に混在することがある。このような状態であっても、情報処理装置で各装置を制御できるようにする必要がある。
【０００６】
そこで、本発明の目的は、外部機器からのリスト情報のフォーマットに依らず、コンテンツデータをリスト表示できる情報処理装置を提供することにある。
【課題を解決するための手段】
【０００７】
本発明に係る情報処理装置は、外部機器で再生可能なコンテンツデータのリスト情報を取得するリスト情報取得部と、前記リスト情報に基づき、既定の画像を用いてリスト画面を表示部に表示する表示制御部と、前記リスト情報に基づいて、対応する画像データの記憶場所情報を取得する記憶場所情報取得部と、前記記憶場所情報に基づいて、画像データを取得する画像データ取得部と、を備え、前記表示制御部は、前記画像データ取得部が取得する画像データに基づいて、前記既定の画像を変更することを特徴とする。
【０００８】
この構成では、取得したリスト情報に対応する画像データを取得した場合には、その画像データでリスト情報を表し、対応するデータを取得しない場合には既定の画像データで表示する。これにより、外部機器からのリスト情報の返信のフォーマットに依らず、コンテンツデータをリスト表示できる。例えば、外部機器のファームウェアがアップデートされてリスト情報のフォーマットが変更された場合、それに合わせて表示態様を変更できる。また、外部機器のファームウェアがアップデートされず、旧形式のリスト情報に対しても、それに合わせた表示が可能となる。
【０００９】
本発明に係る情報処理装置は、前記リスト情報は複数のセル情報からなり、前記セル情報の種類を判別する種類判別部とを備え、前記表示制御部は、前記種類判別部の判別結果に応じて、前記表示部に表示する画像を変更する、ことを特徴とする。
【００１０】
この構成では、セル情報の種類によって表示画像を変えることで、外部機器から取得したリスト情報のフォーマットに応じた表示とすることができる。
【００１１】
本発明に係る情報処理装置において、前記種類判別部は、前記セル情報が階層型データであるか否かを判別し、前記表示制御部は、前記セル情報が階層型データであると前記種類判別部が判別した場合、前記表示部に表示する画像を、階層型データであることを報知する画像に変更する、ことを特徴とする。
【００１２】
この構成では、ユーザは、表示されるリスト情報が階層型であるか否かを把握できる。
【発明の効果】
【００１３】
本発明によれば、外部機器からのリスト情報の返信のフォーマットに依らず、コンテンツデータをリスト表示できる。
【図面の簡単な説明】
【００１４】
【図１】実施形態に係るオーディオシステムの構成を示す図
【図２】携帯端末の構成を示すブロック図
【図３】コンテンツデータを説明する図
【図４】受信したリスト情報に基づいて表示部に表示される画面を示す図
【図５】階層型データのリスト情報が選択された場合の表示部の表示態様を説明する図
【図６】図６（Ａ）及び図６（Ｂ）は、受信したリスト情報に基づいて表示部に表示されるリスト画面の別の例を示す図
【図７】携帯端末がリスト情報を表示する際の処理を示すフローチャート
【発明を実施するための形態】
【００１５】
図１は、本実施形態に係るオーディオシステム１の構成を示す図である。
【００１６】
オーディオシステム１は、建物内に配線された有線ＬＡＮ１００に接続された無線アクセスポイント（以下、無線ＡＰという）２Ａ，２Ｂ、スピーカ３及びプレーヤ４等を備えている。有線ＬＡＮ１００に接続される無線ＡＰ２Ａ，２Ｂ等の各機器は、建物内の居間又は寝室等、複数の部屋に配置される。
【００１７】
無線ＡＰ２Ａ，２Ｂは無線ＬＡＮを構築する。無線ＡＰ２Ａ，２Ｂには、コンテンツ記憶装置１０Ａ，１０Ｂ、ユーザが所有する携帯端末２０、及びスピーカ３０Ａ，３０Ｂ等が接続される。図１では、無線ＡＰ２Ａには、携帯端末２０、コンテンツ記憶装置１０Ａ及びスピーカ３０Ａが接続され、無線ＡＰ２Ｂには、コンテンツ記憶装置１０Ｂ及びスピーカ３０Ｂが接続されている状態を示す。
【００１８】
コンテンツ記憶装置１０Ａ，１０Ｂは、Wi−Fi（登録商標）規格及びBluetooth（登録商標）規格等の無線信号を入出力して、無線ＡＰ２Ａ，２Ｂ及び携帯端末２０と通信する。コンテンツ記憶装置１０Ａ，１０Ｂは、例えばＨＤＤ（Hard Disk Drive）又はＳＳＤ（Solid State Drive）等を有し、音楽データ又は映像データ等のオーディオデータを記憶する。
【００１９】
コンテンツ記憶装置１０Ａ，１０Ｂは、本発明に係る「外部機器」の一例である。オーディオデータは、本発明に係る「コンテンツデータ」の一例である。
【００２０】
コンテンツ記憶装置１０Ａ，１０Ｂは、オーディオデータをスピーカ３０Ａ，３０Ｂ、スピーカ３又はプレーヤ４等へ配信する。配信されたオーディオデータは、配信先の機器により再生される。なお、コンテンツ記憶装置１０Ａ，１０Ｂにオーディオ機器を有線又は無線で接続し、そのオーディオ機器にオーディオデータを出力するようにしてもよい。また、コンテンツ記憶装置１０Ａ，１０Ｂがスピーカを備え、コンテンツ記憶装置１０Ａ，１０Ｂからオーディオデータを出力するようにしてもよい。
【００２１】
携帯端末２０は、スマートフォン、タブレット又はパソコン等である。携帯端末２０は、本発明に係る「情報処理装置」に相当する。携帯端末２０は、ネットワーク内の各機器を操作する。例えば、携帯端末２０には、コンテンツ記憶装置１０Ａ（又は１０Ｂ）に記憶されるオーディオデータの内容が表示される。ユーザは、表示されたオーディオデータを選択することで、そのオーディオデータをコンテンツ記憶装置１０Ａ（又は１０Ｂ）からスピーカ３０Ａ，３０Ｂ等へ送信することができる。
【００２２】
図２は、携帯端末２０の構成を示すブロック図である。
【００２３】
携帯端末２０は、ＣＰＵ２１と、メモリ２２と、通信部２３と、受付部２４と、表示部２５とを備えている。通信部２３は、Wi−Fi（登録商標）規格、Bluetooth（登録商標）規格等の無線信号を入出力する。この通信部２３により、携帯端末２０は、無線ＡＰ２Ａ，２Ｂ及びコンテンツ記憶装置１０Ａ，１０Ｂとの通信が可能となる。受付部２４は、ユーザによる操作を受け付ける。受付部２４は、操作ボタンであってもよいし、タッチパネルであってもよい。
【００２４】
メモリ２２は、ＲＡＭ及びＲＯＭである。メモリ２２は、ＣＰＵ２１が実行するプログラム、演算処理結果、及び通信部２３が受信する情報等を記憶する。
【００２５】
ＣＰＵ２１は、メモリ２２からプログラムを読み出し、読み出したプログラムを実行する。本発明に係る「リスト情報取得部」、「表示制御部」、「記憶場所情報取得部」、「画像データ取得部」及び「種類判別部」は、ＣＰＵ２１がメモリ２２に記憶されるプログラムを実行することで実現される。
【００２６】
この構成の携帯端末２０は、コンテンツ記憶装置１０Ａ（又は１０Ｂ）に記憶されるオーディオデータを表示するために、リスト画面を作成するためのリスト情報をコンテンツ記憶装置１０Ａ（又は１０Ｂ）に要求し、リスト情報を受信する。そして、受信したリスト情報に基づき、リスト画面を表示部２５へ表示する。これにより、ユーザは、コンテンツ記憶装置１０Ａ（又は１０Ｂ）に記憶されるオーディオデータを把握できる。
【００２７】
図３は、リスト情報を説明する図である。
【００２８】
リスト情報は多数のセル情報からなり、各セル情報は曲名、アイコンＵＲＬ、コンテンツ種別情報等を含む。
【００２９】
コンテンツ種別情報は、セル情報に対応するデータが階層型データであるか否かを識別するための情報である。階層型データである場合、そのデータは、「フォルダ」情報である。階層型データでない場合、そのデータは、「ファイル」情報である。「ファイル」情報であっても、「フォルダ」情報であっても、携帯端末２０からはリストの「何番目の情報を再生」という指示・要求がリスト情報を取得したコンテンツ記憶装置１０Ａ（又は１０Ｂ）に送られるだけで、その「ファイル」情報に対応する、再生する曲データそのもののデータの所在はコンテンツ記憶装置１０Ａ（又は１０Ｂ）側で管理されている。「フォルダ」情報の再生を要求した場合も同様である。その内容に対応した情報が再びコンテンツ記憶装置１０Ａ（又は１０Ｂ）から携帯端末２０に送られる。
【００３０】
曲名は、そのセル情報に対応する「フォルダ」又は「ファイル」の名称であり、例えば、アーティスト名、アルバムタイトル、又は楽曲タイトル等である。
【００３１】
アイコンＵＲＬは、セル情報に対応する画像データが取得できるリンク情報である。セル情報に対応する画像データとは、例えば音楽ＣＤのアルバムジャケット、又はアーティストの画像データ等である。また、リンク先は、例えば画像データを記憶したサーバ装置であり、そのサーバ装置は音楽団体等により提供される。画像ＵＲＬ情報は、本発明に係る「記憶場所情報」の一例である。
【００３２】
図４は、受信したリスト情報に基づいて表示部２５に表示されるリスト画面を示す図である。
【００３３】
リスト画面は、アイコンと文字とで表示部２５に表示される。このとき表示される文字は、セル情報の「曲名」欄に格納される情報である。また、アイコンの表示態様は、セル情報の種別、及び、セル情報に対応する画像データの取得の有無によって異なる。
【００３４】
セル情報が階層型データであって、画像ＵＲＬ情報から、対応する画像データ（アイコン）が取得された場合、表示領域３１内には、取得された画像データを加工し、重ねられたアイコン画像を作成し、併せて文字が表示される。取得された画像データがアイコンとして表示されることで、ユーザは、セルに対応する内容（アルバム名、アーティスト名等）を把握し易くなる。また、画像データを重ねてアイコン表示し、ユーザは、表示されたアイコンを選択することで、さらに別のデータ（下層のデータ）が得られる（表示される）ことを視覚的に把握できる。
【００３５】
図５は、階層型データのアイコンが選択された場合の表示部２５の表示態様を説明する図である。
【００３６】
階層型データのアイコン（図５では、表示領域３１）が選択された場合、携帯端末２０からコンテンツ記憶装置１０Ａ（又は１０Ｂ）に「リスト情報の何番目のセルに対応した情報再生」という要求がなされ、結果、階層型データが「アルバム」情報である場合、アルバムに収録される楽曲のセル情報が受信され、セル情報に基づきリスト画面が表示される。
【００３７】
図５に戻り、セル情報が階層型データであって、画像ＵＲＬ情報から、対応する画像データが取得できない場合、表示領域３２内には、既定の画像データのアイコンと文字とが表示される。既定の画像データとは、例えばメモリ２２に予め記憶された画像データである。また、画像データが取得できない場合とは、例えば、リスト情報に画像ＵＲＬ情報がない場合、又は、そのＵＲＬ上に画像データが登録されていない場合等である。
【００３８】
セル情報が階層型データでなく、画像ＵＲＬ情報から、対応する画像データが取得された場合、表示領域３３内には、取得された画像データのアイコンと文字とが表示される。取得された画像データがアイコンとして表示されることで、ユーザは、セルの内容（楽曲タイトル）を視覚的に把握し易くなる。
【００３９】
セル情報が階層型データでなく、画像ＵＲＬ情報から、対応する画像データが取得できない場合、表示領域３４内には、既定の画像データのアイコンと文字とが表示される。このときに表示される既定の画像データは、リスト情報が階層型データの場合の既定の画像データとは異なる。
【００４０】
図６（Ａ）及び図６（Ｂ）は、受信したリスト情報に基づいて表示部２５に表示されるリスト画面の別の例を示す図である。
【００４１】
コンテンツ記憶装置１０Ａ（又は１０Ｂ）によってはファームウェアのアップデートが間に合っておらず、携帯端末２０のリスト情報要求に対し、セル情報にアイコンＵＲＬの領域を持たない古い形式のフォーマットでリスト情報が返信されてくることがある。この場合、全てのセル情報においてアイコンＵＲＬは取得できないため、図６（Ａ）及び図６（Ｂ）に示すように、各セルのアイコン表示は全て規定の画像データの表示となる。
【００４２】
このように、リスト情報が階層型データである場合と、階層型データでない場合とで、異なるアイコン表示にすることで、ユーザは、表示されたリスト情報が、音楽データ（又は映像データ）の情報であるのか、アルバム（又はアーティスト）の情報であるのかを視覚的に把握し易くなる。特に、リスト情報が階層型データである場合には、画像データを重ねてアイコンを作成し表示することで、ユーザは、表示されたリスト情報が階層型データである（アルバム又はアーティストの情報である）ことを感覚的に把握し易くなる。
【００４３】
さらに、ファームウェアのアップデートが完了していないコンテンツ記憶装置１０Ａ（又はコンテンツ記憶装置１０Ｂ）からは、リスト情報中にアイコンＵＲＬが存在しないリストを返信するものもあるが、アプリ側で代替画像（既定の画像）を表示することで、新旧ファームウェアのバージョンに対応したリスト表示が可能となる。
【００４４】
以下に、携帯端末２０（アプリ）での表示処理について説明する。
【００４５】
図７は、携帯端末２０がリスト画面を表示する際の処理を示すフローチャートである。
【００４６】
コンテンツ記憶装置１０Ａ（又はコンテンツ記憶装置１０Ｂ）から受信したリスト情報を表示する際、携帯端末２０のＣＰＵ２１は、そのリスト情報に含まれるセル情報のアイコンＵＲＬ情報の有無、またはアイコンＵＲＬ情報に基づいて、画像データを取得したか否かを判定する（Ｓ１１）。画像データを取得した場合（Ｓ１１：ＹＥＳ）、ＣＰＵ２１は、コンテンツ種別情報からセル情報が階層型データであるか否かを判定する（Ｓ１２）。
【００４７】
階層型データである場合（Ｓ１２：ＹＥＳ）、セル情報が「フォルダ」情報である場合、ＣＰＵ２１は、図５の表示領域３１に示すように、取得した画像データを重ねた画像を作成し、文字と併せて表示する（Ｓ１３）。階層型データでない場合（Ｓ１３：ＮＯ）、ＣＰＵ２１は、図５の表示領域３３に示すように、取得した画像データのみ表示する（Ｓ１４）。
【００４８】
画像データを取得しない場合（Ｓ１１：ＮＯ）、ＣＰＵ２１は既存の画像データを表示する（Ｓ１５）。このとき、ＣＰＵ２１は、セル情報が階層型データである場合と、階層型データでない場合とで、異なる画像データを表示する。
【００４９】
ＣＰＵ２１は、受信したリスト情報の表示処理がすべて終了するまで、前記処理を繰り返す。
【００５０】
なお、リスト情報が階層型データである場合、階層型データであることがユーザに把握させることができる表示態様であればよく、その表示態様は適宜変更可能である。少なくとも、階層型データでない場合と表示態様が異なっていればよい。例えば、表示領域３２内に表示された既定の画像データに、取得した画像データを重ねて（又は並べて）表示するようにしてもよい。また、表示領域３２内には、既定の画像データを重ねて表示するようにしてもよい。また、表示するアイコンは、ユーザが選択できるようにしてもよい。例えば、階層型データのアイコンのみが表示されるようにしてもよい。
【符号の説明】
【００５１】
１…オーディオシステム
２Ａ，２Ｂ…無線アクセスポイント
３…スピーカ
４…プレーヤ
１０…携帯端末
１０Ａ，１０Ｂ…コンテンツ記憶装置
２０…携帯端末
２１…ＣＰＵ
２２…メモリ
２３…通信部
２４…受付部
２５…表示部
３０Ａ，３０Ｂ…スピーカ
３１，３２，３３，３４…表示領域
１００…有線ＬＡＮ
【図１】
0006489027.tif 000002
【図２】
0006489027.tif 000003
【図３】
0006489027.tif 000004
【図４】
0006489027.tif 000005
【図５】
0006489027.tif 000006
【図６】
0006489027.tif 000007
【図７】
0006489027.tif 000008